(57)【要約】  【課題】収納家具を上下に積み重ねた際に上下左右に配置される戸板の間で把手の使い勝手を良好にする配置を採用し、その際に部品の共用化を図っても、ラッチの作動を極力適正化することができ、把手にも十分な指掛かりを確保することができるようにした新たな構造の引き戸式収納家具を提供する。  【解決手段】把手２を内設する把手ハウジングＨに対して、把手２の上端よりも上方位置若しくは下端よりも下方位置の何れに対してもラッチ機構４のラッチ作動体４０等を配置して把手２と連動させ得るように構成した。【選択図】図３
2005126967.tif 000002
【特許請求の範囲】
【請求項１】
把手を内設する把手ハウジングに対して、把手の上端よりも上方位置若しくは下端よりも下方位置の何れに対してもラッチ機構の構成部材を配置して把手と連動させ得るように構成したことを特徴とする引き戸式収納家具。
【請求項２】
積み重ねて使用する際に、上置きのものは把手ハウジングを戸板の下端近傍に位置づけるとともにラッチ機構の構成部材を把手の上端よりも上方位置に配置し、下置きのものは把手ハウジングを戸板の上端近傍に位置づけるとともにラッチ機構の構成部材を把手の下端よりも下方位置に配置している請求項１記載の引き戸式収納家具。
【請求項３】
把手ハウジングが、把手収容部の上下にラッチ収容部を備え、何れのラッチ収容部にもラッチ機構の構成部材を収容し得るようにしたものである請求項１記載の引き戸式収納家具。
【請求項４】
把手ハウジングを上下反転させて左右の引き戸に適用可能としている請求項１〜３記載の引き戸式収納家具。
【請求項５】
把手を、鉛直軸回りに回転可能に支持し、ラッチ機構の構成部材を前記鉛直軸の上下何れの軸端部に対しても連動可能に係わり合わせることができるようにしている請求項１〜４記載の引き戸式収納家具。
【請求項６】
把手は、円周が戸板の開閉方向に概略水平移動する領域で動作するものであり、その動作をラッチ機構の動作に増幅して伝える増幅機構を備えている請求項５記載の引き戸式収納家具。
【請求項７】
把手は、戸板を開成させる方向に操作することによってラッチ機構によるラッチ状態を解除するものである請求項１〜６記載の引き戸式収納家具。
【請求項８】
ラッチ収容部は、ラッチ機構の作動に直接又は間接にロックを掛けるための錠機構の収容部として兼用可能なものである請求項３記載の引き戸式収納家具。
【請求項９】
請求項１〜８記載の引き戸式収納家具を構成する把手ハウジング。
【発明の詳細な説明】
【技術分野】
【０００１】
本発明は、オフィス等において好適に利用される引き戸式収納家具に関するものである。
【背景技術】
【０００２】
収納家具の一つとして、引き戸式のものが従来から知られている。このものは、家具本体の開口縁にスライド可能に戸板を配置し、戸板を閉止した際に戸板の閉止側の縁部と家具本体の対応する開口縁との間で作動するラッチ機構を設けて、戸板を閉止位置に保持するようにしている。また、ラッチを解除するために、戸板の閉止側の開口縁近傍にラッチ解除用の把手が設けられる。通常この把手は、戸板の面板に窓を形成して、把手を内有するハウジングをこの窓に装着することにより取り付けられるものである。戸板は２枚あるいは３枚以上使用されるのが通例である。
【０００３】
ところで、把手を戸板の高さ方向の中央位置に取り付け、ラッチ機構を把手の高さ方向中央位置に位置づけると、上下反転させるだけで左右の戸板の把手として共用でき、戸板全体に均一に保持力を作用させることができてラッチ状態の適正化も図れる。
【０００４】
しかしながら、この種の引き戸式収納家具は、例えば非特許文献１に示されるように、上下に積み重ねて使用する場合が少なくない。この場合、上下の戸板で部品の共用化は図れるが、把手を戸板の高さ方向中央位置に配置すると、使用者からみて下置きのものは把手が下方に位置し、上置きのものは把手が上方に位置し、何れも高さ的に中途半端となって、使い勝手の悪いものにならざるを得ない。
【０００５】
このような不具合を解消するために、上下に積み重ねた際に、上置きの把手と下置きの把手が近接するように、すなわち上置きの収納家具の把手は戸板の下端近傍に、下置きの収納家具の把手は戸板の上端近傍に、それぞれ配置することも有効な構成として考えられている。
【非特許文献１】コクヨ総合カタログ「ＫＯＫＵＹＯ  オフィスファニチャー編  ２００２」  Ｐ．３４２〜３４４
【発明の開示】
【発明が解決しようとする課題】
【０００６】
しかしながら、このようにすると、ラッチ位置が戸板の上下方向の端部近くに位置するため、戸板のガタつきやラッチの掛かりに不具合が生じ易くなる。特にラッチ機構を把手の高さ方向中央位置に配置する場合は、ラッチ機構がますます戸板の端部に近づくため、上記の不具合はより一層顕著となる。
【０００７】
その上、ラッチ機構を把手の高さ方向中央位置に配置するためには、把手を収容する把手ハウジングにおいて把手の背後にラッチ機構のリンク等の構成部材を組み込まなければならない。このため、把手ハウジングそれ自体の内空は容量的に十分でも、リンク等の構成部材の存在によって指掛かりが浅くなり、持ち難いという操作上の難点を抱えることとなる。
【０００８】
本発明は、このような課題に着目してなされたものであって、収納家具を上下に積み重ねた際に上下左右に配置される戸板の間で把手の使い勝手を良好にする配置を採用し、その際に部品の共用化を図っても、ラッチの作動を極力適正化することができ、把手にも十分な指掛かりを確保することができるようにした新たな構造の引き戸式収納家具を提供しようとするものである。
【課題を解決するための手段】
【０００９】
本発明は、かかる目的を達成するために、次のような手段を講じたものである。
【００１０】
すなわち、本発明の引き戸式収納家具は、把手を内設する把手ハウジングに対して、把手の上端よりも上方位置若しくは下端よりも下方位置の何れに対してもラッチ機構を配置して把手と連動させ得るように構成したことを特徴とする。
【００１１】
本発明は、ラッチ機構を把手の上にも下にも配置することができるようにしているので、収納家具を上下に積み重ねて使用する場合等に、戸板の作動等との関係で好ましい位置にラッチ機構を位置づけることができる。例えば、積み重ねて使用する際に、上置きのものは把手ハウジングを戸板の下端近傍に位置づけるとともにラッチ機構を把手の上端よりも上方位置に配置し、下置きのものは把手ハウジングを戸板の上端近傍に位置づけるとともにラッチ機構を把手の下端よりも下方位置に配置することが可能となる。
【００１２】
その上、本発明によると、把手とラッチ機構が高さ方向に重ならないので、把手ハウジングの背後にラッチ機構の構成部材を配置する構造が不要で、把手収容部を十分開放して適正な指掛かり状態を確保することができる。
【００１３】
具体的な実施の態様として、把手ハウジングが、把手収容部の上下にラッチ収容部を備え、何れのラッチ収容部にもラッチ機構の構成部材を収容し得るようにしたものであれば、ハウジングを共用化できる上に、組み付け時に把手とラッチ機構の構成部材をハウジングを介して容易に位置決めすることができる。
【００１４】
把手ハウジングを上下反転させて左右の戸板に適用可能とすれば、部品の一層の共用化が図られる。
【００１５】
好ましい実施の態様としては、把手を、鉛直軸回りに回転可能に支持し、ラッチ機構を前記鉛直軸の上下何れの軸端部に対しても連動可能に係わり合わせることができるようにしているものが挙げられる。
【００１６】
この場合、把手の円周が戸板の開閉方向に概略水平移動する領域で当該把手が動作するものであって、その動作をラッチ機構の動作に増幅して伝える増幅機構を備えておけば、ラッチ機構に対する操作を引き戸に相応しいスライド操作に近づけることができ、操作感が良好となる上に、増幅機構によってスライド操作量よりも大きな変位をラッチ機構に与えることができる。
【００１７】
把手が、戸板を開成させる方向に操作することによってラッチ機構を解除するものであれば、ラッチ解除操作と、引き続く戸板の開成操作とを一連一体に行なうことができるので、操作の連続性を確保することができる。
【００１８】
この種の収納家具には、戸板を閉止位置にロックするためのロック機構が備わるのが通例であるが、ラッチ収容部を、ラッチ機構の作動に直接又は間接にロックを掛けるための錠機構の収容部として兼用可能なものにしておけば、ラッチ機構と錠機構との間でもハウジングを共用化できる上に、組み付け時に錠機構とラッチ機構をハウジングを介して容易に位置決めすることができる。
【発明の効果】
【００１９】
本発明は、以上説明した構成であるから、収納家具を上下に積み重ねた際に上下左右に配置される戸板の間で把手の使い勝手を良好にする配置を採用し、その際に部品の共用化を図っても、ラッチの作動を極力適正化することができ、把手にも十分な指掛かりを確保することができるようにした新たな構造の引き戸式収納家具を提供することが可能となる。
【発明を実施するための最良の形態】
【００２０】
以下、本発明の一実施形態を、図面を参照して説明する。
【００２１】
この実施形態の引き戸式収納家具は、図１に示すごとく上下に積み重ねて使用することが可能なもので、積み重ねた際に上置きの収納家具１（Ｕ）の把手２は戸板３の下端近３ｂ傍に、下置きの収納家具１（Ｄ）の把手２は戸板３の上端３ａ近傍にそれぞれ位置して操作性が確保されるとともに、これらの把手２と連動してラッチ機構４が適正に作動し得るように、かつ把手２やラッチ機構４等の部品の共用化も図れるようにしたものである。
【００２２】
具体的に説明すると、収納家具１は、上壁１１、底壁１２、左右の側壁１３及び背壁１４を具備するとともに、前面側に開口１５を有し、この開口１５に３枚の戸板３を配置したものである。戸板３は板金製のもので、上縁や下縁の適宜部位を図示しない車輪やローラ等のガイド部材に支持され、幅方向に沿ってスライド移動可能とされている。また、背後において各戸板３は適宜の連動機構によって連結され、全閉状態から全開状態まで連動して作動し得る。
【００２３】
そして、左右に配置される戸板３に対して、その面板３１の前面に図２に示すような窓３２を形成し、この窓３２に対して把手２を内有するための把手ハウジングＨを装着可能としている。上置きの収納家具１（Ｕ）の右側の戸板３（ＵＲ）は右下に、左側の戸板３（ＵＬ）は左下にそれぞれ窓３２を有し、下置きの収納家具１（Ｄ）の右側の戸板３（ＤＲ）は右上に、左側の戸板３（ＤＬ）は左上にそれぞれ窓３２を有する。把手ハウジングＨは、戸板３の面板３１の背面側に位置づけられるハウジング本体Ｈ１と、戸板３の面板３１の前面側より装着される化粧枠体Ｈ２とからなるもので、これらハウジング本体Ｈ１と化粧枠体Ｈ２との間に戸板３の窓３２の周縁における面板３１を肉厚方向に挟み込んだ状態で取り付けるようにしている（図４参照）。ハウジング本体Ｈ１と化粧枠体Ｈ２とは、前者の側壁に設けた孔ｈ１０に後者の側壁に設けた突起ｈ２０が係合することによって組み付けられる。
【００２４】
そして、把手２の上端よりも上方位置若しくは下端よりも下方位置の何れにもラッチ機構４を配置して連動させ得るように、把手ハウジングＨは、図３に示すように、内空を上下２箇所に設けた中間壁ｈ１を介して把手収容部ｈ２及びこの把手収容部ｈ２の上下方に位置するラッチ収容部ｈ３に部分的に区成してあり、中間壁ｈ１に、把手収容部ｈ２側に開口する把手取付孔５１と、ラッチ収容部ｈ３側に開口するラッチ取付孔５２とを設けている。ラッチ収容部ｈ３には、後述する錠機構６の収容部ｈ４を形成するための包囲壁ｈ５が形成してあり、包囲壁ｈ５と中間壁ｈ１との間及び包囲壁ｈ５とハウジング本体Ｈ１の上下内方壁ｈ０との間に一対の扁平空間Ｓが形成されるとともに、ハウジング本体Ｈ１の上下内方壁ｈ０に前記ラッチ取付孔５２と対をなすラッチ取付孔５２を設けている。
【００２５】
把手２は、一対の中間壁ｈ１、ｈ１の間に区成された把手収納部ｈ２に比較的密に配置されるもので、回転中心となる鉛直軸２１の軸端部２１ａを把手本体２０から上下に突出させ、これらの軸端部２１ａが図３及び図５に示すように、各々対応する上下の中間壁ｈ１の把手取付孔５１に回転可能に挿入されるようにしている。化粧枠体Ｈ２の端壁には、鉛直軸２１を逃げる切欠ｈ２１が設けてある。
【００２６】
ラッチ機構４は、一対の互いに平行をなす基端アーム４１と、これらの基端アーム４１間を連結する連結杆４２と、この連結杆４２の高さ方向中間位置に突設した先端アーム４３とを具備するラッチ作動体４０を主体として構成されるもので、先端アーム４３の先端部にラッチ爪４３ａを形成している。このラッチ爪４３ａは、戸板３を閉止した位置（図４（ａ）参照）で収納家具１を構成する側壁１３の前端側に設けた凹所１３ａに係合して、戸板３をラッチ状態に引き込むものである。そして、前述したラッチ収容部ｈ３の扁平空間Ｓに前記ラッチ作動体４０の一対の基端アーム４１を装入し、これら基端アーム４１の上下背向位置に設けた突出軸部４１ａをハウジング本体Ｈ１の上下内方壁ｈ０及び中間壁ｈ１に設けたラッチ取付孔５２に回転可能に挿入している。
【００２７】
そして、この把手２とラッチ作動体４０との間を、当該ラッチ作動体４０とともにラッチ機構４を構成する連動部材４４を介して連動可能に係わり合わせている。連動部材４４は、リンクメンバ状のもので、基端において前記把手本体２０と回転軸２１を共有し、把手２と一体になって回転可能なもので、先端に設けた突起４４ａを前記ラッチ作動体４０の基端アーム４１の突出軸部４１ａから変位した部位に係わり合わせている。ラッチ作動体４０の連結杆４２には前記先端アーム４３と背向する方向に軸状のスプリング取付部４５が設けてあり、把手ハウジングＨを戸板３に装着した状態で、スプリング取付部４５に一端を取り付けた図示しないスプリングの他端をその前方に位置する戸板３の面板３１の背面に弾接させる等して、ラッチ作動体４０のラッチ爪４３ａを側壁１３に設けた凹所１３ａに係り合う方向に弾性付勢するようにしている。
【００２８】
そして、図４（ａ）に示す状態から、把手２に指を掛けて戸板３が開成する方向に操作することにより、把手２が鉛直軸２１回りに連動部材４４とともに一体回転し、連動部材４４の突起４４ａがラッチ作動体４０の基端アーム４１の突出軸部４１ａから変位した部位を、ラッチ爪４３ａが側壁１３の凹所１３ａから外れる方向に付勢し、ラッチ爪４３ａがはずれた図４（ｂ）の状態で、引き続き戸板３を開成方向に操作することで、当該戸板３をスライドさせることができるようにしている。
【００２９】
なお、先に若干触れたが、ラッチ収容部ｈ３に形成されている包囲壁ｈ５は、ラッチ機構４の作動にロックを掛けるための錠機構たるシリンダ錠６の収容部として利用可能であり、このシリンダ錠６が収容位置でラッチ機構４の適宜部位に直接又は前出した図示しない戸板３，３間の連動機構に選択的に関わり合って、ラッチ機構４のラッチ爪４３ａを図４（ａ）に示すラッチ位置に直接又は間接にロックできるようにしている。
【００３０】
図５は上置きの収納家具１（Ｕ）の右側の戸板３（ＵＲ）に付帯する把手２、ラッチ機構４及びその周辺を、図６は上置きの収納家具１（Ｕ）の左側の戸板３（ＵＬ）に付帯する把手２、ラッチ機構４及びその周辺を、図７は下置きの収納家具１（Ｄ）の右側の戸板３（ＤＲ）に付帯する把手２、ラッチ機構４及びその周辺を、図８は下置きの収納家具１（Ｄ）の左側の戸板３（ＤＬ）に付帯する把手２、ラッチ機構４及びその周辺を、それぞれ表わしたものである。この実施形態は、ラッチ機構４を構成するラッチ作動体４０を把手ハウジングＨに対してその上下のラッチ収容部ｈ３の何れに収容可能しても、ラッチ作動体４０を前記鉛直軸２１の上下何れかの軸端部２１ａに連動部材４４を介して係わり合い可能な構造を採用しているのは前述したところである。そして、積み重ねて使用する際に、図５に示す上置きの収納家具１（Ｕ）の右側の戸板３（ＵＲ）と図７に示す下置きの収納家具１（Ｄ）の右側の戸板３（ＤＲ）との関係や、図６に示す上置きの収納家具１（Ｕ）の左側の戸板３（ＵＬ）と図８に示す下置きの収納家具１（Ｄ）の左側の戸板３（ＤＬ）との関係のように、上置きのものは把手ハウジングＨを戸板３の下端３ｂ近傍に位置づけるとともにラッチ機構４のラッチ作動体４０を把手２の上端よりも上方位置に配置し、下置きのものは把手ハウジングＨを戸板３の上端３ａ近傍に位置づけるとともにラッチ機構４のラッチ作動体４０を把手２の下端よりも下方位置に配置して、把手２と連動することを可能ならしめているものである。
【００３１】
また、図５、図６に示す上置きの収納家具１（Ｕ）の右側の戸板３（ＵＲ）と左側の戸板３（ＵＬ）の関係や、図７、図８に示す下置きの収納家具１（Ｄ）の右側の戸板３（ＤＲ）と左側の戸板３（ＤＬ）の関係を見ると明らかなように、把手ハウジングＨは上下反転させて左右の戸板３（Ｌ）、３（Ｒ）に共通の部品として使用される。特に上置きの収納家具１（Ｕ）の右側の戸板３（ＵＲ）と下置きの収納家具１（Ｄ）の左側の戸板３（ＤＬ）の関係や、上置きの収納家具１（Ｕ）の左側の戸板３（ＵＬ）と下置きの収納家具１の右側の戸板３（ＤＲ）の関係は、把手ハウジングＨのみならずラッチ作動体４０もそのままの組み込み位置で反転して使用される。すなわち、この実施形態では把手ハウジングＨ、把手２、ラッチ作動体４０等に、組み込み位置を変更して全て共通部品を使用しているものである。
【００３２】
このように、本実施形態によれば、把手２とラッチ機構４が高さ方向に重ならないので、把手ハウジングＨの背後にラッチ機構４を構成する作動体４０や連動部材４４等の構成部材を配置する構造が不要で、把手収容部ｈ２を全面的に開放して適正な指掛かり状態を確保することができる。
【００３３】
特に、把手ハウジングＨが、把手収容部ｈ２の上下にラッチ収容部ｈ３を備え、何れのラッチ収容部ｈ３にもラッチ機構４の構成部材を収容し得るようにしているため、ハウジングＨを共用化できる上に、組み付け時に把手２とラッチ機構４の構成部材をハウジングＨを介して相互に容易に位置決めすることができ、組付け精度を簡単かつ有効に向上させることが可能となる。
【００３４】
とりわけ、把手ハウジングＨが上下反転させて左右の戸板３（Ｌ）、３（Ｒ）に適用可能であるため、部品点数の一層の共用化が図られたものとなる。
【００３５】
具体的には、把手２を、鉛直軸２１回りに回転可能に支持し、ラッチ機構４を前記鉛直軸２１の上下何れの軸端部２１ａに対しても連動可能に係わり合わせることができるようにしているため、簡素な構造によって本発明を実現することができる。
【００３６】
特に、把手２の円周が戸板３の開閉方向に概略水平移動する領域で当該把手２が動作するように構成してあり、その動作が、本発明の増幅機構としての役割を担う連動部材４４を介してラッチ作動体４０に増幅して伝えられるようにしているため、ラッチ機構４に対する操作を引き戸に相応しいスライド操作に近づけて操作感を良好にするとともに、連動部材４４によってスライド操作量よりも大きな変位をラッチ機構４に与えてラッチ動作の的確性を担保することができる。
【００３７】
さらに、把手２は、戸板３を開成させる方向に操作することによってラッチ機構４を解除するように関連づけられているため、ラッチ解除操作と、引き続く戸板３の開成操作とを一連一体に行なうことができるので、操作の連続性を確保することができる。
【００３８】
さらにまた、ラッチ収容部ｈ３は、ラッチ機構４の作動に直接又は間接にロックを掛けるための錠機構６の収容部としても兼用されているため、この点でもハウジングＨの共用化の効果が促進され、組み付け時に錠機構６とラッチ機構４をハウジングＨを介し位置決めして組付け精度を容易に高めることができるという効果も奏される。
【００３９】
なお、各部の具体的な構成は、上述した実施形態のみに限定されるものではなく、本発明の趣旨を逸脱しない範囲で種々変形が可能である。
【図面の簡単な説明】
【００４０】
【図１】本発明の一実施形態を示す概略的な全体斜視図。
【図２】同実施形態の把手ハウジングを示す部分分解斜視図。
【図３】同実施形態の把手ハウジングに対する各種機構部品の組付け構造を示す部分分解斜視図。
【図４】同実施形態の把手とラッチ機構の関係を示す、図５におけるＡ−Ａ線断面図。
【図５】同実施形態における上置きの収納家具において右側の戸板の把手周辺を示す部分的な正面図。
【図６】同実施形態における上置きの収納家具において左側の戸板の把手周辺を示す部分的な正面図。
【図７】同実施形態における下置きの収納家具において右側の戸板の把手周辺を示す部分的な正面図。
【図８】同実施形態における下置きの収納家具において左側の戸板の把手周辺を示す部分的な正面図。
【符号の説明】
【００４１】
１…収納家具
２…把手
３…戸板
３ａ…下端
３ｂ…上端
４…ラッチ機構
６…錠機構
２１…鉛直軸
２１ａ…軸端部
Ｈ…把手ハウジング
ｈ２…把手収容部
ｈ３…ラッチ収容部
【図１】
2005126967.tif 000003
【図２】
2005126967.tif 000004
【図３】
2005126967.tif 000005
【図４】
2005126967.tif 000006
【図５】
2005126967.tif 000007
【図６】
2005126967.tif 000008
【図７】
2005126967.tif 000009
【図８】
2005126967.tif 000010